(57)【要約】【課題】設置位置の自由度が大きく、吊り下げた薄型テレビの落下を確実に防止できる薄型テレビ壁掛け用ラック１０，４０を提供する。【解決方法】、薄型テレビ２０の荷重を支える支持パネル１１と、支持パネルを壁面に直接固定する固定手段３２と、支持パネルに固定した左右２本の縦フレーム１２と、両縦フレーム間に架設した上下２本の横フレーム１３を備え、薄型テレビ背面に取り付けられたフック金具２１を各横フレームに掛止することにより薄型テレビを横フレームに吊り下げる。横フレームに薄型テレビを吊り下げた後に支持パネルの上端部に固設される天板１４を備え、横フレームに吊り下げた薄型テレビが持ち上げられるのをこの天板で規制する。壁面３０に沿って設置した支持パネルでカバーされる壁面領域の内部に柱や梁等の下地材３３が存在すれば、支持パネルを固定手段で当該下地材に固定できるので、ラック１０の設置位置の自由度が大きい。【選択図】図２
2009296201.tif 000002
【特許請求の範囲】
【請求項１】
薄型テレビの荷重を支える支持パネルと、この支持パネルを壁面に直接固定する固定手段と、支持パネルに固定した左右２本の縦フレームと、両縦フレーム間に架設した上下２本の横フレームを備え、薄型テレビの背面に取り付けられたフック金具を各横フレームに掛止することにより薄型テレビを横フレームに吊り下げるようにしたことを特徴とする薄型テレビ壁掛け用ラック。
【請求項２】
前記横フレームに薄型テレビを吊り下げた後に前記支持パネルの上端部に固設される天板を備え、横フレームに吊り下げた薄型テレビが持ち上げられるのをこの天板で規制したことを特徴とする請求項１に記載の薄型テレビ壁掛け用ラック。
【請求項３】
前記横フレームに薄型テレビを吊り下げた後に前記支持パネルの上端部に固設される天板と、この天板に垂設した幕板を備え、横フレームに吊り下げた薄型テレビが持ち上げられるのをこの幕板で規制したことを特徴とする請求項１に記載の薄型テレビ壁掛け用ラック。
【請求項４】
前記両縦フレームの下端部間に底板を取り付け、底板に化粧パネルを立設し、前記横フレームに吊り下げた薄型テレビの下方に露出する前記支持パネルを前記化粧パネルで覆い隠すとともに、支持パネルと化粧パネルによって薄型テレビ用配線の格納空間を区画形成したことを特徴とする請求項１に記載の薄型テレビ壁掛け用ラック。
【請求項５】
前記支持パネルの下部に薄型テレビ配線用開口を形成したことを特徴とする請求項４に記載の薄型テレビ壁掛け用ラック。
【請求項６】
横フレームの下方に棚板を設け、前記支持パネルの下部に配線用開口を形成し、かつ棚板の後端部に沿って化粧パネルを立設し、前記横フレームに吊り下げた薄型テレビの下方に露出する支持パネル及び配線用開口を覆い隠すようにしたことを特徴とする請求項１に記載の薄型テレビ壁掛け用ラック。
【請求項７】
前記棚板の後端面に配線用切欠部を形成したことを特徴とする請求項６に記載の薄型テレビ壁掛け用ラック。
【発明の詳細な説明】
【技術分野】
【０００１】
本発明は、薄型テレビの壁掛け用ラックに関する。
【背景技術】
【０００２】
薄型テレビ壁掛け用ラックの一形式として、特開２００６−２８７５６２号公報には、左右２本の縦フレームを複数本の横繋ぎ材で連結し、左右２本の縦フレーム間にブラケットを介して上下２本の横フレームを架設し、左右２本の縦フレーム間に化粧パネルを取り付け、化粧パネルで横繋ぎ材を覆い隠し、横フレームの下方に棚板を設けた薄型テレビ壁掛け用ラックの構造が開示されている。
【０００３】
このラック構造によれば、横繋ぎ材を壁面にネジ等の固定手段で固定してラック全体を壁面に固設し、薄型テレビの背面に取り付けられたフック金具を各横フレームに掛止することにより薄型テレビを横フレームから吊り下げることができる。また、棚板にはビデオテープやＣＤの録画再生機器等薄型テレビの関連製品を載置することができる。
【特許文献１】特開２００６−２８７５６２号公報
【発明の開示】
【発明が解決しようとする課題】
【０００４】
上記従来のラック構造では、横継ぎ材を壁に固定することによって、ラック全体を壁面に固設している。壁面が薄型テレビの荷重を支えるに足る強度を備えている場合、横継ぎ材を壁面の適宜位置に固定しても薄型テレビの荷重を壁面により支えることができる。
しかしながら、壁面の強度が低い場合、横繋ぎ材をネジや釘等の固定手段によって、壁の内部にある薄型テレビの荷重を支え得る下地材に固定できる位置にラックを設置する必要があり、ラックの設置位置が下地材の位置によって制限される。
【０００５】
また、上記従来のラック構造では、単にフック金具を横フレームに掛止することにより薄型テレビを横フレームから吊り下げているが、不用意に薄型テレビを持ち上げるとフック金具が横フレームから外れ、薄型テレビが落下するおそれがある。
【０００６】
さらにまた、上記従来のラック構造では、棚板に載置した録画再生機器と横フレームから吊り下げた薄型テレビを接続する配線が露出し、薄型テレビの見栄えが悪い。
【０００７】
上記問題点に鑑み、本発明は設置位置の自由度が大きい薄型テレビ壁掛け用ラックを提供することを第１の目的とする。
また、吊り下げた薄型テレビが落下するのを確実に防止できる薄型テレビ壁掛け用ラックを提供することを第２の目的とする。
さらに、薄型テレビ用配線が露出して見栄えが悪くなるのを防止できる薄型テレビ壁掛け用ラックを提供することを第３の目的とする。
【課題を解決するための手段】
【０００８】
上記目的を達成するため、請求項１に記載の発明は、薄型テレビの荷重を支える支持パネルと、この支持パネルを壁面に直接固定する固定手段と、支持パネルに固定した左右２本の縦フレームと、両縦フレーム間に架設した上下２本の横フレームを備え、薄型テレビの背面に取り付けられたフック金具を各横フレームに掛止することにより薄型テレビを横フレームに吊り下げるようにしたことを特徴とする。
【０００９】
請求項２に記載の発明は、請求項１に記載の薄型テレビ壁掛け用ラックにおいて、前記横フレームに薄型テレビを吊り下げた後に前記支持パネルの上端部に固設される天板を備え、横フレームに吊り下げた薄型テレビが持ち上げられるのをこの天板で規制したことを特徴とする。
【００１０】
請求項３に記載の発明は、請求項１に記載の薄型テレビ壁掛け用ラックにおいて、前記横フレームに薄型テレビを吊り下げた後に前記支持パネルの上端部に固設される天板と、この天板に垂設した幕板を備え、横フレームに吊り下げた薄型テレビが持ち上げられるのをこの幕板で規制したことを特徴とする。
【００１１】
請求項４に記載の発明は、請求項１に記載の薄型テレビ壁掛け用ラックにおいて、前記両縦フレームの下端部間に底板を取り付け、底板に化粧パネルを立設し、前記横フレームに吊り下げた薄型テレビの下方に露出する前記支持パネルを前記化粧パネルで覆い隠すとともに、支持パネルと化粧パネルによって薄型テレビ用配線の格納空間を区画形成したことを特徴とする。
【００１２】
請求項５に記載の発明は、請求項４に記載の薄型テレビ壁掛け用ラックにおいて、前記支持パネルの下部に薄型テレビ配線用開口を形成したことを特徴とする。
【００１３】
請求項６に記載の発明は、請求項１に記載の薄型テレビ壁掛け用ラックにおいて、横フレームの下方に棚板を設け、前記支持パネルの下部に配線用開口を形成し、かつ棚板の後端部に沿って化粧パネルを立設し、前記横フレームに吊り下げた薄型テレビの下方に露出する支持パネル及び配線用開口を覆い隠すようにしたことを特徴とする。
【００１４】
請求項７に記載の発明は、請求項６に記載の薄型テレビ壁掛け用ラックにおいて、前記棚板の後端面に配線用切欠部を形成したことを特徴とする。
【発明の効果】
【００１５】
請求項１に記載の発明によれば、壁面が薄型テレビの荷重を支え得る強度を備えていない場合、壁を貫通して壁内部の下地材にネジや釘等の固定手段を打ち込んで支持パネルを壁面に固定する。壁面に沿って設置した支持パネルでカバーされる壁面領域の内部に下地材が存在すれば、支持パネルを固定手段で壁内部の柱や梁に壁面に固定できるので、ラックの設置位置の自由度が大きく、ラックの使い勝手がよい。
【００１６】
請求項２に記載の発明によれば、横フレームに吊り下げた薄型テレビが不用意に持ち上げられるのを天板で規制したので、薄型テレビがラックから落下するのを防止でき、ラックの安全性が向上する。
【００１７】
請求項３に記載の発明によれば、横フレームに吊り下げた薄型テレビが不用意に持ち上げられるのを幕板で規制したので、薄型テレビがラックから落下するのを防止でき、ラックの安全性が向上する。
【００１８】
請求項４に記載の発明によれば、支持パネルと化粧パネルによって薄型テレビ用配線の格納空間を区画形成したので、薄型テレビ用配線を隠すことができ、ラックに薄型テレビを吊り下げたときの見栄えが良くなる。
【００１９】
請求項５に記載の発明によれば、薄型テレビとラック外部のコンセントやテレビアンテナ線とを接続する配線を支持パネル下部に形成した薄型テレビ配線用開口から薄型テレビ配線用空間に引き入れることができ、より一層ラックに薄型テレビを吊り下げたときの見栄えが向上する。
【００２０】
請求項６に記載の発明によれば、棚板に載置した録画再生機器等と薄型テレビを接続する配線やラック外部から支持パネル下部の配線用開口を通して引き入れた配線を化粧パネルで覆い隠すことができるので、ラックに薄型テレビを吊り下げるとともに棚板に録画再生機器等を載置したときの見栄えが良くなる。
【００２１】
請求項７に記載の発明によれば、ラック外部のコンセント等と棚板に載置した録画再生機器等を接続する配線を棚板の配線用切欠部を通して行うことができ、ラックの使い勝手が向上する。
【実施例】
【００２２】
以下に本発明の実施例を図面に基づき説明する。図１及び図２には本発明の第１実施例に係る薄型テレビ壁掛け用ラック１０が示されている。当該ラック１０は縦長長方形の支持パネル１１、左右２本の縦フレーム１２、上下２本の横フレーム１３、天板１４及び底板１５を備えている。
【００２３】
支持パネル１１は薄型テレビ２０の荷重を支持できる強度を備えたパーティクルボードやＭＤＦ等の木材繊維板が用いられている。この種の木材繊維板は内部に空洞のない緻密な材質を備えているので、支持パネルを壁等に固定するとき、支持パネル上の任意の位置に固定手段たるねじや釘を打ち込むことができる。
【００２４】
縦フレーム１２はアルミ製で支持パネル１１の表面の左右両縁に沿ってパネル１１にＬ字形ブラケット１６とネジで固定されている。縦フレーム１２の内面には複数の長孔１２ａが等間隔でフレーム１２の長手方向に沿って列設形成されている。
【００２５】
各横フレーム１３はアルミ製で、左右両端にベースブラケット１３ａが一体に設けられ、ベースブラケット１３ａが縦フレーム１２に２本のボルトで固定されている。ベースブラケット１３ａはボルトをそれぞれ縦フレームの長孔１２ａの上部と下部にねじ込むことにより縦フレーム１２に固着されている。ベースブラケット１３ａを固着する長孔１２ａを選択することにより横フレーム１３の設置高さと上下２本の横フレーム１３の間隔が調整できる。
【００２６】
天板１４は支持パネル１１の上端部にダボ１７（図３参照）で固定することができる。底板１５は左右両端部が縦フレーム１２の下端面に固着されている。底板１５の上面前部に化粧パネル１８が立設されている。この化粧パネル１８は支持パネル１１の下端部に固着したL形ブラケット１９によって取り付けられている。そして、化粧パネル１８と支持パネル１１で配線の格納空間Ｓが区画形成されている。
【００２７】
本実施例に係る薄型テレビ壁掛け用ラック１０の構造は以上の通りであって、以下にその設置手順を図３に基づき説明する。天板１４を除く縦フレーム１２、横フレーム１３、底板１５及び化粧パネル１８が組み付けられた支持パネル１１を壁面３０に沿って床３１に立て掛け、ネジ３２で壁面３０に直接固定する。ネジ３２は壁面３０を貫通して壁面内部の下地材３３に達するように支持パネル１１の所定箇所にねじ込む。
【００２８】
次に、薄型テレビ２０の背面に取り付けられているフック金具２１を横フレーム１３に掛止して薄型テレビ２０を横フレーム１３に吊り下げる。薄型テレビ２０の背面には左右２本の金属プレート２２が固着され、各金属製プレート２２に上下２個のフック金具２１が固着されている。薄型テレビ２０は支持プレート１１に天板１４を組み付ける前に各フック金具２１を横フレーム１３に掛止して吊り下げる。
【００２９】
薄型テレビ２０を横フレーム１３に吊り下げた後、天板１４をダボ１７で支持プレート１１に固着する。天板１４には支持プレート１１の上端部に立設したダボ１７が嵌合するダボ穴１４ａが形成されているので、このダボ穴１４ａをダボ１７に被せて天板１４を支持プレート１１の上端部に固着する。支持プレート１１に固着された天板１４は図２に示すように、その前端部下面が金属プレート２２の上端部に当接し、これにより薄型テレビ２０が不要に横フレーム１３から脱落するのを防止できる。
【００３０】
横フレーム１３は、横フレーム１３に吊り下げた薄型テレビ２０の金属プレート２２に天板１４が当接するように、ベースブラケット１３ａを固定する長穴１２ａを選択してその上下位置を調整する。
【００３１】
横フレーム１３の上下位置を下方に設定した場合、支持パネル１１の上端部に天板１４を固着したとき、天板１４が金属プレート２２に当接しないので、天板１４によって薄型テレビ２０の脱落を防止できない。そこで、かかる場合には図４に示すように、天板１４の前端部下面に所要の長さを有する幕板３４を垂設固定する。この幕板３４は天板１４に形成されたダボ穴１４ｂ（図３参照）とダボで天板１４に固着する。幕板３４の下端部を金属プレート２２の上端部に当接させることにより、薄型テレビ２０の脱落を防止する。
【００３２】
本実施例に係る薄型テレビ壁掛け用ラック１０によれば、壁面３０が薄型テレビ２０の荷重を支え得る強度を備えていない場合、壁面３０に沿って設置した支持パネル１１でカバーされる壁面領域の内部の下地材３３が存在すれば、支持パネル１１をネジ３２で壁３０の内部の下地材３３に壁面に固定できるので、ラック１０の設置位置の自由度が大きく、ラック１０の使い勝手がよい。
【００３３】
また、横フレーム１３に吊り下げた薄型テレビ２０が不用意に持ち上げられるのを天板１４や幕板３４で規制したので、薄型テレビ２０がラック１０から落下するのを防止でき、ラック１０の安全性が向上する。
【００３４】
更にまた、支持パネル１１と化粧パネル１８によって薄型テレビ用配線の格納空間Ｓを区画形成したので、薄型テレビ用配線を隠すことができ、ラック１０に薄型テレビ２０を吊り下げたときの見栄えが良くなる。
【００３５】
本発明の第２実施例に係る薄型テレビ壁掛け用ラック４０を図５及び図６に示す。当該ラック４０は支持パネル４１、左右２本の縦フレーム１２、上下２本の横フレーム１３、天板１４、底板１５、棚板４２、腰板４３を備えている。
【００３６】
支持パネル４１の下部中央には横長長方形の薄型テレビ配線用開口４１ａが形成されている。各縦フレーム１２の下部に棚受け金具４４の基端部がネジで固定され、両棚受け金具４４に棚板４２が取り付けられ、支持パネル４１から前方へ突出している。棚板４２の後部中央には横長長方形の薄型テレビ配線用切欠４２ａが形成されている。腰板４３は底板１５に立設して固定されている。
【００３７】
棚板４２の後端部の左右２箇所に溝形ブラケット４５が固定され、このブラケット４５により第１化粧パネル４６が立設固定されている。また、底板１５にも溝形ブラケット４７が固定され、ブラケット４７により第２化粧パネル４８が立設固定されている。支持パネル４１と第１化粧パネル４６及び第２化粧パネル４８により薄型テレビ配線用格納空間Ｓが区画形成されている。また、第１化粧パネル４６と第２化粧パネル４８により支持パネル４１の開口４１ａと棚板４２の切欠４２ａが覆い隠されている。
【００３８】
第２実施例に係る薄型テレビ壁掛け用ラック４０の他の構成は第１実施例のラック１０の構成と同じであるので、同一の構成部材には同一の符号を付して説明を省略する。
【００３９】
第２実施例に係る薄型テレビ壁掛け用ラック４０によれば、薄型テレビ２０とラック４０外部のコンセントやテレビアンテナ線とを接続する配線を支持パネル４１の開口４１ａと棚板４２の切欠４２ａから配線用格納空間Ｓに引き入れることができ、より一層ラック４０に薄型テレビ２０を吊り下げたときの見栄えが向上する。
【００４０】
また、棚板４２に載置した録画再生機器等と薄型テレビ２０を接続する配線やラック４０外部から支持パネル４１の開口４１ａや棚板４２の切欠４２ａを通して引き入れた配線を第１、第２化粧パネル４６，４８で覆い隠すことができるので、ラック４０に薄型テレビ２０を吊り下げるとともに、棚板４２に録画再生機器等を載置したときの見栄えが良くなる。
【００４１】
なお、上述した実施例では、ダボ１７で天板１４を支持プレート１１に固定していたが、これに代えてネジや釘で固定することもできる。
また、天板１４や幕板３４で薄型テレビ２０のラック１０からの落下を防止しているが、フック金具２１を長く下方に延ばすことにより、より一層落下を効果的に防止できる。
【図面の簡単な説明】
【００４２】
【図１】本発明の第１実施例に係る薄型テレビ壁掛け用ラックを示す正面図である。
【図２】図１の２−２線から切断した断面図である。
【図３】本発明の第１実施例に係る薄型テレビ壁掛け用ラックの設置手順を示す説明図である。
【図４】本発明の第１実施例に係る薄型テレビ壁掛け用ラックの使用方法を示す説明図である
【図５】本発明の第２実施例に係る薄型テレビ壁掛け用ラックを示す正面図である。
【図６】図５の６−６線から切断した断面図である。
【符号の説明】
【００４３】
１０…薄型テレビ壁掛け用ラック
１１…支持パネル
１２…縦フレーム
１３…横フレーム
１４…天板
１５…底板
１８…化粧パネル
２０…薄型テレビ
２１…フック金具
３０…壁面
３２…ネジ
３３…下地材
３４…幕板
４１…支持パネル
４１ａ…薄型テレビ配線用開口
４２…棚板
４２ａ…薄型テレビ配線用切欠
４６…第１化粧パネル
４８…第２化粧パネル
【図１】
2009296201.tif 000003
【図２】
2009296201.tif 000004
【図３】
2009296201.tif 000005
【図４】
2009296201.tif 000006
【図５】
2009296201.tif 000007
【図６】
2009296201.tif 000008